(57)【要約】【課題】  ささら桁を軽構造に構成しても階段としての機能と強度を充分に備えるとともに、スリムで無駄のないデザインで構成でき、つまり、階段の意匠性を向上させ、また、階段の搬送や施工が容易となる。【解決手段】  階段１を構成する左右一対からなるささら桁２，２であって、桁材３の長手方向における中途部分に下向きに突設されている支持柱４と、桁材３の長手方向における一方の端部３ａから他方の端部３ｂにかけて支持柱４を介して張設されている可撓性長体５と、を具備する。【選択図】    図１
2005290749.tif 000002
【特許請求の範囲】
【請求項１】
桁材の長手方向における中途部分に下向きに突設されている支持柱と、
前記支持柱から前記桁材の端部近傍にかけて張設されている可撓性長体と、
を具備することを特徴とするささら桁。
【請求項２】
前記支持柱が、前記桁材の長手方向における中央に突設されていることを特徴とする請求項１記載のささら桁。
【請求項３】
前記可撓性長体が、前記桁材の長手方向における一方から他方にかけて前記支持柱を介して張設されていることを特徴とする請求項１又は２記載のささら桁。
【請求項４】
前記可撓性長体が、前記桁材の一方の端部から他方の端部にかけて前記支持柱を介して張設されていることを特徴とする請求項１又は２記載のささら桁。
【請求項５】
前記可撓性長体が、複数張設されていることを特徴とする請求項１，２，３，４のいずれか１つに記載のささら桁。
【請求項６】
請求項１，２，３，４，５のいずれか１つに記載のささら桁が、左右一対で構成されていることを特徴とするささら桁。
【請求項７】
左右一対で構成されるささら桁であって、
一対の桁材の長手方向における中途部分に位置するとともに該一対の桁材の間に下向きに突設されている支持柱と、
前記支持柱から前記一対の桁材のうち左側桁材の端部近傍にかけて張設されている左側可撓性長体と、
前記支持柱から右側桁材の端部近傍にかけて張設されている右側可撓性長体と、
を具備することを特徴とするささら桁。
【請求項８】
前記支持柱は、少なくとも一部が、前記一対の桁材の長手方向の中央で、且つ該両桁材の並び方向の中央に位置するように突設されていることを特徴とする請求項７記載のささら桁。
【請求項９】
前記支持柱が、前記左側桁材と前記右側桁材との間に該両桁材を連結して設けられている横梁に突設されていることを特徴とする請求項７又は８記載のささら桁。
【請求項１０】
前記左側可撓性長体が、前記左側桁材の長手方向における一方から他方にかけて前記支持柱を介して張設されるとともに、
前記右側可撓性長体が、前記右側桁材の長手方向における一方から他方にかけて前記支持柱を介して張設されていることを特徴とする請求項７又は８又は９記載のささら桁。
【請求項１１】
前記左側可撓性長体が、前記左側桁材の長手方向における一方の端部から他方の端部にかけて前記支持柱を介して張設されるとともに、
前記右側可撓性長体が、前記右側桁材の長手方向における一方の端部から他方の端部にかけて前記支持柱を介して張設されていることを特徴とする請求項７又は８又は９記載のささら桁。
【請求項１２】
前記左側可撓性長体と前記右側可撓性長体とが、それぞれ前記一対の桁材に複数張設されていることを特徴とする請求項７，８，９，１０，１１のいずれか１つに記載のささら桁。
【請求項１３】
請求項１〜１２のいずれか１つに記載のささら桁と、
前記ささら桁に設けられている踏板と、
を具備することを特徴とする階段。
【発明の詳細な説明】
【技術分野】
【０００１】
本発明は、構築構造物の内部または外部に設置されるささら桁及び該ささら桁を用いた階段に関する。
【背景技術】
【０００２】
家屋などの構築構造物の内部または外部に設置される階段には様々なタイプのものがあるが、階段の構成としては、対向する一対のささら桁（側桁）の間に踏板が配設されているものが一般的である。
【０００３】
従来、このような階段において、ささら桁（側桁）には、踏板から下向きにかかる荷重に対して充分に耐用させるため、例えば、鉄骨階段であれば、Ｈ型鋼やＩ型鋼などのような大型で重い部材が使用されていた。
【０００４】
また、下記特許文献１に開示されているようなユニット階段があった。この階段１０１は、図２４に示すように、相互に対向する左右一対の側桁１０２，１０２と、複数の段板部材１０３とで構成されている。側桁１０２は、内側面１０２ａに支持部１０４が突設され、側桁１０２にはビス１１３を挿通して締め付けるためのビス孔１０５が所定位置に設けられている。なお、支持部１０４は、階段１０１の傾斜と略同等の傾斜で、側桁１０２の長さ方向に直線状に設けられている。段板部材１０３は、図２５に示すように、蹴込１０７と、踏面１０８と、側桁１０２の支持部１０４に接する底面１０９とからなる断面三角形の形材であり、内部に補強用のリブ１１０が設けられている。このリブ１１０は、段板部材１０３がトラス断面となるように踏面１０８における荷重がかかる部分に配されている。
【特許文献１】特開２００２−１５５６０８号公報
【発明の開示】
【発明が解決しようとする課題】
【０００５】
しかしながら、上述したような従来の階段では、ささら桁（側桁）に大型で重い部材が使用されているため、搬送や施工などに時間と手間がかかっていた。また、階段の外観が重苦しいものとなり、例えば、この階段が設置される室内などの美観を損ねたりしていた。
【０００６】
また、上記特許文献１に開示のユニット階段では、階段１０１がユニット化されていることによって、搬送や施工にかかる時間と手間が軽減されるが、段板部材１０３がトラス断面となるようにリブ１１０で補強されていることによって大型となり、この段板部材１０３を支持している側桁１０２も大型で重厚な構成となっていた。そのため、上記同様に、階段の外観が重苦しいものとなり、意匠性に乏しいものとなっていた。
【０００７】
そこで本発明は、上記課題を解消するために、階段を構成するささら桁を、強度を低下させることなく軽構造に構成でき、それにより、階段の搬送や施工が容易となり、また、階段の意匠性を向上させることが可能なささら桁及び該ささら桁を用いた階段を提供することを目的とする。
【課題を解決するための手段】
【０００８】
次に、上記の課題を解決するための手段を、実施の形態に対応する図面を参照して説明する。
本発明の請求項１記載のささら桁は、桁材３の長手方向における中途部分に下向きに突設されている支持柱４と、
前記支持柱４から前記桁材３の端部近傍にかけて張設されている可撓性長体５と、
を具備することを特徴とする。
【０００９】
このような構成によれば、桁材３と支持柱４と可撓性長体５とは略三角形状に接合され、例えば、桁材３に下向きの荷重がかかると、支持柱４を介して可撓性長体５に引張力が発生する。これにより、荷重がかかったときの桁材３の撓みを抑制することが可能となる。つまり、桁材３の曲げ剛性を向上させることが可能となる。
【００１０】
請求項２記載のささら桁は、前記支持柱４が、前記桁材３の長手方向における中央に突設されていることを特徴とする。
【００１１】
請求項３記載のささら桁は、前記可撓性長体５が、前記桁材３の長手方向における一方から他方にかけて前記支持柱４を介して張設されていることを特徴とする。
【００１２】
請求項４記載のささら桁は、前記可撓性長体５が、前記桁材の一方の端部３ａから他方の端部３ｂにかけて前記支持柱４を介して張設されていることを特徴とする。
【００１３】
このような構成によれば、例えば、支持柱４が、桁材３の長手方向における中央に突設され、可撓性長体５が、この支持柱４を介して桁材３の長手方向における一方の端部３ａから他方の端部３ｂにかけて張設されている場合など、可撓性長体５は、桁材３の一方の端部３ａから支持柱４までの長さと他方の端部３ｂから支持柱４までの長さとが同等の長さとなり、桁材３の長手方向において、曲げ剛性が大幅に異なることを防ぐことが可能となる。これにより、桁材３を連続した一定の断面形状で構成することが可能となる。また、桁材３に下向きの荷重がかかると、支持柱４を介して一方の可撓性長体５ａに引張力が発生すると同時に、他方の可撓性長体５ｂに圧縮力が発生する。これにより、荷重がかかったときの桁材３の撓みを更に強力に抑制することが可能となる。つまり、桁材３の曲げ剛性を更に向上させることが可能となる。
【００１４】
請求項５記載のささら桁は、前記可撓性長体５が、複数張設されていることを特徴とする。
【００１５】
このような構成によれば、例えば、複数の可撓性長体５が、桁材３から支持柱４にかけてそれぞれの長手方向に並んで張設されている場合など、桁材３に下向きの荷重がかかると、これら複数の可撓性長体５に引張力が分散して発生する。これにより、桁材３の曲げ剛性を更に向上させることが可能となる。したがって、桁材３を更に細くすることが可能となる。
【００１６】
請求項６記載のささら桁は、請求項１，２，３，４，５のいずれか１つに記載のささら桁２が、左右一対で構成されていることを特徴とする。
【００１７】
このような構成によれば、ささら桁２が左右一対で構成されていることで、このささら桁２を用いて構成される階段１をユニット化することが可能となる。
【００１８】
請求項７記載のささら桁は、左右一対で構成されるささら桁４０であって、
一対の桁材４２，４３の長手方向における中途部分に位置するとともに該一対の桁材４２，４３の間に下向きに突設されている支持柱４４と、
前記支持柱４４から前記一対の桁材４２，４３のうち左側桁材４２の端部近傍にかけて張設されている左側可撓性長体４７と、
前記支持柱４４から右側桁材４３の端部近傍にかけて張設されている右側可撓性長体４８と、
を具備することを特徴とする。
【００１９】
このような構成によれば、左側桁材４２，支持柱４４，左側可撓性長体４７と、右側桁材４３，支持柱４４，右側可撓性長体４８とはそれぞれ略三角形状に接合される。例えば、左右いずれかの桁材４２，４３に下向きの荷重がかかると、支持柱４４を介して左側及び右側可撓性長体４７，４８に引張力が発生する。これにより、荷重がかかったときの両桁材４２，４３の撓みを抑制することが可能となる。つまり、両桁材４２，４３の曲げ剛性を向上させることが可能となる。
【００２０】
請求項８記載のささら桁は、前記支持柱４４は、少なくとも一部が、前記一対の桁材４２，４３の長手方向の中央で、且つ該両桁材４２，４３の並び方向の中央に位置するように突設されていることを特徴とする。
【００２１】
請求項９記載のささら桁は、前記支持柱４４が、前記左側桁材４２と前記右側桁材４３との間に該両桁材４２，４３を連結して設けられている横梁４５に突設されていることを特徴とする。
【００２２】
請求項１０記載のささら桁は、前記左側可撓性長体４７が、前記左側桁材４２の長手方向における一方から他方にかけて前記支持柱４４を介して張設されるとともに、
前記右側可撓性長体４８が、前記右側桁材４３の長手方向における一方から他方にかけて前記支持柱４４を介して張設されていることを特徴とする。
【００２３】
請求項１１記載のささら桁は、前記左側可撓性長体４７が、前記左側桁材４２の長手方向における一方の端部４２ａから他方の端部４２ｂにかけて前記支持柱４４を介して張設されるとともに、
前記右側可撓性長体４８が、前記右側桁材４３の長手方向における一方の端部４３ａから他方の端部４３ｂにかけて前記支持柱を介して張設されていることを特徴とする。
【００２４】
このような構成によれば、例えば、左側及び右側可撓性長体４７，４８が、それぞれ支持柱４４を介して左側及び右側桁材４２，４３のそれぞれの長手方向における一方の端部４２ａ，４３ａから他方の端部４２ｂ，４３ｂにかけて張設されている場合など、左側及び右側可撓性長体４７，４８は、それぞれ左側及び右側桁材４２，４３の一方の端部４２ａ，４３ａから支持柱４４までの長さと他方の端部４２ｂ，４３ｂから支持柱４４までの長さとが同等の長さとなり、両桁材４２，４３の長手方向において、曲げ剛性が大幅に異なることを防ぐことが可能となる。これにより、両桁材４２，４３をそれぞれ連続した一定の断面形状で構成することができる。また、左右いずれかの桁材４２，４３に下向きの荷重がかかると、支持柱４４を介して左側及び右側可撓性長体４７，４８の一方の可撓性長体４７ａ，４８ａに引張力が発生すると同時に、他方の可撓性長体４７ｂ，４８ｂに圧縮力が発生する。これにより、荷重がかかったときの両桁材４２，４３の撓みを更に強力に抑制することが可能となる。つまり、両桁材４２，４３の曲げ剛性を更に向上させることが可能となる。
【００２５】
さらに、左側桁材４２と右側桁材４３との間に横梁４５が設けられるとともに、支持柱４４がこの横梁４５に突設されていることによって、両桁材４２，４３の連結及び補強と、支持柱４４の突設とを１つの部材で統括することが可能となる。
【００２６】
請求項１２記載のささら桁は、前記左側可撓性長体４７と前記右側可撓性長体４８とが、それぞれ前記一対の桁材４２，４３に複数張設されていることを特徴とする。
【００２７】
このような構成によれば、例えば、それぞれ複数の左側及び右側可撓性長体４７，４８が、左側及び右側桁材４２，４３の長手方向における任意の位置から支持柱４４にかけて張設されている場合など、両桁材４２，４３に下向きの荷重がかかると、これら複数の可撓性長体４７，４８に引張力が分散して発生する。これにより、両桁材４２，４３の曲げ剛性を更に向上させることが可能となる。したがって、桁材４２，４３を更に細くすることが可能となる。
【００２８】
請求項１３記載の階段は、請求項１〜１２のいずれか１つに記載のささら桁２（４０）と、
前記ささら桁２（４０）に設けられている踏板１０と、
を具備することを特徴とする。
【００２９】
このような構成によれば、階段１が軽構造なささら桁２（４０）を用いて構成されていても階段としての機能と強度を充分に備えることができる。つまり、階段の昇降時に揺れなど起こすことなく、且つスリムで無駄のないデザインで構成することが可能となり、階段の意匠性を向上させることが可能となる。また、ささら桁２（４０）が軽構造であることから、階段１の搬送や施工が容易となる。
【発明の効果】
【００３０】
本発明による請求項１〜６記載のささら桁によれば、桁材と支持柱と可撓性長体とは略三角形状に接合され、例えば、桁材に下向きの荷重がかかると、支持柱を介して可撓性長体に引張力が発生する。これにより、荷重がかかったときの桁材の撓みを抑制することが可能となる。つまり、桁材の曲げ剛性を向上させることが可能となる。したがって、ささら桁を、強度を低下させることなく軽構造に構成することが可能となる。
【００３１】
また、例えば、支持柱が、桁材の長手方向における中央に突設され、可撓性長体が、この支持柱を介して桁材の長手方向における一方の端部から他方の端部にかけて張設されている場合など、可撓性長体は、桁材の一方の端部から支持柱までの長さと他方の端部から支持柱までの長さとが同等の長さとなり、桁材の長手方向において、曲げ剛性が大幅に異なることを防ぐことが可能となる。これにより、桁材を連続した一定の断面形状で構成することができる。したがって、ささら桁の製造が容易となる。また、桁材に下向きの荷重がかかると、支持柱を介して一方の可撓性長体に引張力が発生すると同時に、他方の可撓性長体に圧縮力が発生する。これにより、荷重がかかったときの桁材の撓みを更に強力に抑制することが可能となる。つまり、桁材の曲げ剛性を更に向上させることが可能となる。したがって、上記同様に、ささら桁を、強度を低下させることなく軽構造に構成することが可能となる。
【００３２】
さらに、例えば、複数の可撓性長体が、桁材から支持柱にかけてそれぞれの長手方向に並んで張設されている場合など、桁材に下向きの荷重がかかると、これら複数の可撓性長体に引張力が分散して発生する。これにより、桁材の曲げ剛性を更に向上させることが可能となる。したがって、桁材を更に細くすることが可能となる。
【００３３】
また、ささら桁が左右一対で構成されていることで、このささら桁を用いて構成される階段をユニット化することが可能となる。これにより、例えば、階段の片側を支持させるために室内の壁などを利用したりする必要がなくなる。したがって、階段が設置される場所は、例えば、室内の壁際などに限定されることなく所望の場所に設置できる。
【００３４】
請求項７〜１２記載のささら桁によれば、左側桁材，支持柱，左側可撓性長体と、右側桁材，支持柱，右側可撓性長体とはそれぞれ略三角形状に接合される。例えば、左右いずれかの桁材に下向きの荷重がかかると、支持柱を介して左側及び右側可撓性長体に引張力が発生する。これにより、荷重がかかったときの両桁材の撓みを抑制することが可能となる。つまり、両桁材の曲げ剛性を向上させることが可能となる。したがって、ささら桁を、強度を低下させることなく軽構造に構成することが可能となる。
【００３５】
また、例えば、左側及び右側可撓性長体が、それぞれ支持柱を介して左側及び右側桁材のそれぞれの長手方向における一方の端部から他方の端部にかけて張設されている場合など、左側及び右側可撓性長体は、左側及び右側桁材のそれぞれの一方の端部から支持柱までの長さと他方の端部から支持柱までの長さとが同等の長さとなり、両桁材の長手方向において、曲げ剛性が大幅に異なることを防ぐことが可能となる。これにより、両桁材をそれぞれ連続した一定の断面形状で構成することができる。したがって、ささら桁の製造が容易となる。また、左右いずれかの桁材に下向きの荷重がかかると、支持柱を介して左側及び右側可撓性長体の一方の可撓性長体に引張力が発生すると同時に、他方の可撓性長体に圧縮力が発生する。これにより、荷重がかかったときの両桁材の撓みを更に強力に抑制することが可能となる。つまり、両桁材の曲げ剛性を更に向上させることが可能となる。したがって、上記同様に、ささら桁を、強度を低下させることなく軽構造に構成することが可能となる。
【００３６】
さらに、左側桁材と右側桁材との間に横梁が設けられるとともに、支持柱がこの横梁に突設されていることによって、両桁材の連結及び補強と、支持柱の突設とを１つの部材で統括することが可能となる。
【００３７】
また、例えば、左側及び右側可撓性長体が、それぞれ左側及び右側桁材の長手方向における任意の位置から支持柱にかけて張設されている場合など、両桁材に下向きの荷重がかかると、複数の可撓性長体に引張力が分散して発生する。これにより、両桁材の曲げ剛性を更に向上させることが可能となる。したがって、両桁材を更に細くすることが可能となる。
【００３８】
請求項１３記載の階段によれば、階段が軽構造なささら桁を用いて構成されていても階段としての機能と強度を充分に備えることができる。つまり、階段の昇降時に揺れなど起こすことなく、且つスリムで無駄のないデザインで構成することが可能となり、階段の意匠性を向上させることが可能となる。また、ささら桁が軽構造であることから、階段の搬送や施工が容易となる。
【発明を実施するための最良の形態】
【００３９】
以下、本発明のささら桁及び該ささら桁を用いた階段を各実施の形態ごとに図面を参照して具体的に説明する。
【００４０】
「第１の実施の形態」
まず、本発明の第１の実施の形態について説明する。
図１は本発明によるささら桁の第１の実施の形態を用いた階段を示す斜視図、図２は同正面図、図３は同右側面図、図４は同右側断面図、図５（ａ），（ｂ），（ｃ）は同一部拡大斜視図、図６（ａ）は同ささら桁を構成するジョイント部材（ネジ孔１つ）を示す平面図、図６（ｂ）はＡ−Ａ断面図、図７（ａ）は同ささら桁を構成するジョイント部材（ネジ孔２つ）を示す平面図、図７（ｂ）はＢ−Ｂ断面図、図８は同ささら桁を用いた階段を構成する踏板を示す正面図、図９はＣ−Ｃ断面図、図１０は同ささら桁を用いた階段を構成する踏板を示す分解斜視図である。
【００４１】
この第１の実施の形態のささら桁２は、桁材３と、支持柱４と、可撓性長体５とで略構成されている。
【００４２】
桁材３は、図１，２に示すように、細身の略矩形柱状に形成されている。この桁材３の長手方向における中央には、支持柱４が下向きに突設されている。
【００４３】
支持柱４は、図３，４に示すように、桁材３と同様に略矩形柱状に形成されている。また、支持柱４は、桁材３の長さよりも充分に短い長さ（桁材３の１０分の１程度の長さ）に形成されている。さらに、支持柱４は、長手方向が桁材３と直交して設けられている。そして、この支持柱４を介して、桁材３の長手方向における一方の端部３ａから他方の端部３ｂにかけて可撓性長体５が張設される。
【００４４】
可撓性長体５は、本実施の形態では、２本で構成され、図３，４，５に示すように、桁材３の一方の端部３ａから支持柱４にかけて一方の可撓性長体５ａが張設され、桁材３の他方の端部３ｂから同じく支持柱４にかけて他方の可撓性長体５ｂが張設されている。これら２本の可撓性長体５ａ，５ｂは、支持柱４の先端にて接続されている。なお、本実施の形態では、可撓性長体５には、両端にネジ加工が施された鋼線材などが使用されている。また、このような鋼線材は、短い鋼線材がターンバックルによって接続されて１本となっているものを使用してもよい。さらに、可撓性長体５（５ａ，５ｂ）は、略く字形に一体形成されていてもよい。
【００４５】
ジョイント部材６は、図６，７に示すように、略円柱ブロック状に形成されている。このジョイント部材６の中央には、軸線方向に貫通孔７が穿設されている。また、図５に示すように、ジョイント部材６は、貫通孔７にボルトなどが挿通されて桁材３及び支持柱４の内側面８ａに接合される。このジョイント部材６の側周面には、貫通孔７（中心軸）に向かってこの貫通孔７と直交するようにネジ孔９が設けられている。ネジ孔９には、前述した可撓性長体５（５ａ，５ｂ）の端部が接続される。さらに、図６に示すように、ジョイント部材６のうち、桁材３の両端部３ａ，３ｂに接合されるジョイント部材６ａには１つのネジ孔９が設けられている。また、図７に示すように、支持柱４の先端に接合されるジョイント部材６ｂには対向するように２つのネジ孔９が設けられている。これらジョイント部材６ｂの２つのネジ孔９，９は、接続される可撓性長体５ａ，５ｂの挿入角度ににあわせて所定の傾斜角を有して設けられている。
【００４６】
この第１の実施の形態のささら桁２によれば、桁材３と支持柱４と可撓性長体５とは略三角形状に接合され、例えば、桁材３に下向きの荷重がかかると、支持柱４を介して可撓性長体５に引張力が発生する。これにより、荷重がかかったときの桁材３の撓みを抑制することが可能となる。つまり、桁材３の曲げ剛性を向上させることが可能となる。したがって、ささら桁２を、強度を低下させることなく軽構造に構成することが可能となる。
【００４７】
また、例えば、支持柱４を介して一方の可撓性長体５ａ（５）に引張力が発生すると、同時に他方の可撓性長体５ｂ（５）には圧縮力が発生する。これにより、荷重がかかったときの桁材３の撓みを更に強力に抑制することが可能となる。つまり、桁材３の曲げ剛性を更に向上させることが可能となる。したがって、上記同様に、ささら桁２を、強度を低下させることなく軽構造に構成することが可能となる。
【００４８】
次に、上記した第１の実施の形態のささら桁２を用いた構造の一例である階段について説明する。
この階段１は、左右一対のささら桁２，２と、踏板１０と、手摺り２０とで略構成されている。
【００４９】
踏板１０は、図８，９，１０に示すように、踏板材１１と、連結板１３と、支持部材１６とで略構成されている。
【００５０】
踏板材１１は、木製などの板材からなり、裏面に複数の（本実施の形態では４つ）の係止凹部１２が設けられている。踏板材１１は、長手方向の長さが一対のささら桁２，２の並び方向の幅よりも長く形成されている。
【００５１】
連結板１３は、踏板材１１が載置可能な面積を有し、長手方向における両端に略三角形状の連結端部１４が延設されている。また、連結板１３のささら桁２側となる後辺部には、立上部１５が上方に向かって屈曲して形成されている。この立上部１５の屈曲角度は、踏板材１１の後辺部と係合可能な角度となっている。
【００５２】
支持部材１６は、略角錐形に形成され、後端が上述したささら桁２の桁材３に溶接などによって強固に固定されている。また、支持部材１６の上面１７は平坦面となっている。この上面１７上には、連結板１３が載置され、ボルト１８で固定される。この固定のためのボルト１８は、踏板材１１が載置されるときに、踏板材１１の係止凹部１２に挿入され、連結板１３の立上部１５と共に、踏板材１１が連結板１３上で面方向にずれることを防止する。
【００５３】
手摺り２０は、図１〜４に示すように、支柱部材２１と、手摺りレール２４とで略構成されている。
【００５４】
支柱部材２１は、上述したささら桁２（桁材３）の外側面８ｂに所定間隔あけて複数並んで設けられる。この支柱部材２１は、略円柱状の部材からなり、垂直に延びる中途部２２の下方が湾曲して基端部２３が形成されている。また、図１０に示すように、基端部２３は、ささら桁２（桁材３）の外側面８ｂに溶接などによって固着されている。さらに、中途部２２は、上述した連結板１３の連結端部１４と溶接などによって固着されている。
【００５５】
手摺りレール２４は、その長手方向をささら桁２（桁材３）の長手方向と同方向に向けて、且つささら桁２（桁材３）と同等の傾斜となって、各支柱部材２１の上端に取り付けられている。なお、手摺りレール２４は、支柱部材２１の上端に溶接などによって固着されたり、或いは、例えば、手摺りレール２１の長手方向に溝部（図示せず）が形成されるとともに、支柱部材の上端がプレス加工などで溝部と係合可能な形状に形成され、手摺りレール２４の溝部と支柱部材２１の上端とをスライドさせて取り付けるなどの方法が用いられてもよい。
【００５６】
なお、図中、手摺り２０は、ささら桁２（桁材３）の両外側部８ｂ，８ｂにそれぞれ設けられている構成となっているが、これに限定されるものではなく、手摺り２０が、ささら桁２（桁材３）の両外側部８ｂ，８ｂのうち左右のいずれか片側のみに設けられる構成としてもよい。また、例えば、階段１の両側若しくは片側に壁などがある場合、その壁に手摺りが設けられたりするなど、階段１が設置される状況に応じて手摺り２０を設けない構成としてもよい。
【００５７】
次に、この第１の実施の形態のささら桁２を用いた階段１を、住宅の室内などの所望の場所に設置するときについて説明する。
【００５８】
まず、図１，３に示すように、一対のささら桁２，２を並び方向に所定間隔あけて配置する。そして、予め両ささら桁２，２の下端部に取り付けられた取付金具３０，３０にボルトなどを用いて床面３１と固定させる。
次に、同じく取付金具３０，３０が取り付けられた両ささら桁２，２の上端部をそれぞれ上階床３２の梁材３２ａにボルトなどで固定させる。このとき、ささら桁２は、予め工場などにおいて、可撓性長体５が接合されていて、さらに、支持部材１３，支柱部材２１，手摺りレール２４などが取り付けられている状態となっていると設置現場での施工作業が更に容易となる。
そして、連結板１３及び踏板材１１を階段１に順次配設していくことで、階段１の設置作業が完了する。
【００５９】
なお、階段１を設置する手順は、上記した手順のみに限定されるものではなく、例えば、設置現場の状況にあわせて搬送や施工などの効率を考慮するなどして、階段１を、適宜ユニット化しておいてもよい。
【００６０】
この第１の実施の形態のささら桁２を用いた階段１によれば、階段１が軽構造なささら桁２を用いて構成されていても階段としての機能と強度を充分に備えることができる。つまり、階段の昇降時に揺れなど起こすことなく、且つスリムで無駄のないデザインで構成することが可能となり、階段の意匠性を向上させることが可能となる。これにより、この階段１が設置される住宅などの室内空間を広々と見せたりすることができる。また、ささら桁２が軽構造であることから、階段１の搬送や施工が容易となる。
【００６１】
なお、上述した第１の実施の形態では、支持柱４が桁材３の長手方向における中央に突設されているが、中央以外の任意の位置に突設されていてもよく、例えば、支持柱４が、桁材３のいずれかの端部寄りに突設されている構成としてもよい。これにより、階段１（ささら桁２）をまた違ったデザインで構成することができ、階段１の意匠性を向上させることが可能となる。ただし、桁材３の曲げ剛性は長手方向の任意の位置ごとに大幅に異なることがあるため、桁材３及び可撓性長体５を太く構成するなどして、適宜調整が必要となる。
【００６２】
また、桁材３の長手方向の一部分のみに可撓性長体５が張設されている構成としてもよい。これにより、上記同様に階段１を異なるデザインで構成することができ、階段１（ささら桁２）の意匠性を向上させることが可能となる。ただし、この場合も桁材３の長手方向において、可撓性長体５によって補強されている部分以外は桁材３を太く構成するなどして、適宜調整が必要となる。
【００６３】
さらに、可撓性長体５（５ａ，５ｂ）は、桁材３から支持柱４にかけて１本のみ張設されているが、複数の可撓性長体５（５ａ，５ｂ）が張設されている構成としてもよく、例えば、図１９に示すように、複数の可撓性長体５（５ａ，５ｂ）が、桁材３から支持柱４にかけてそれぞれ長手方向に並んで張設されている構成としてもよい。これにより、桁材３の曲げ剛性を更に向上させることが可能となり、桁材３を更に細くすることが可能となる。または、各可撓性長体５を更に細くすることが可能となる。つまり、階段１をよりスリムで無駄のないデザインで構成することが可能となる。
【００６４】
また、例えば、図２０に示すように、複数の可撓性長体５（５ａ，５ｂ）が、桁材３から支持柱４にかけて、一端は桁材３の長手方向に並んで接続され、他端は支持柱４の一箇所に集中させて張設されていてもよい。これにより、上記同様に、桁材３の曲げ剛性を更に向上させることが可能となり、桁材３を更に細くすることが可能となる。または、各可撓性長体５を更に細くすることが可能となる。つまり、階段１をよりスリムで無駄のないデザインで構成することが可能となる。
【００６５】
「第２の実施の形態」
次に、本発明の第２の実施の形態について説明する。
図１１は本発明によるささら桁の第２の実施の形態を用いた階段を示す斜視図、図１２は同正面図、図１３は同背面図、図１４は同右側面図、図１５は同右側断面図、図１６（ａ），（ｂ），（ｃ）は同一部拡大斜視図である。図１７（ａ）は同ささら桁を構成するジョイント部材（ネジ孔１つ）を示す平面図、図１７（ｂ）はＤ−Ｄ断面図、図１８（ａ）は同ささら桁を構成するジョイント部材（ネジ孔２つ）を示す平面図、図１８（ｂ）はＥ−Ｅ断面図である。
【００６６】
この第２の実施の形態のささら桁４０は、第１の実施の形態と同様に、桁材４２，４３と、支持柱４４と、可撓性長体４７，４８とで略構成されている。ただし、桁材４２，４３は左右一対で構成され、この状態で１つの構造体をなしている。
なお、以下で説明する第２の実施の形態において、上述した第１の実施の形態と同等或いは同一箇所には同一の符号を付し、その説明を省略する。
【００６７】
桁材４２，４３は、図１１，１２，１３に示すように、左側桁材４２と、右側桁材４３とからなり、左右一対で構成されている。左側及び右側桁材４２，４３は、それぞれ細身の略矩形柱状に形成されている。これら一対の桁材４２，４３の長手方向における中央には、同じく略矩形柱状に形成されている横梁４５が両桁材４２，４３を連結して設けられている。
【００６８】
支持柱４４は、上記した左側及び右側桁材４２，４３及び横梁４５と同様に略矩形柱状に形成されており、図１３に示すように、長手方向が両桁材４２，４３と直交するように横梁４５に突設されている。また、この支持柱４４は、ささら桁４０が組み上がった状態において下向きに突設されており、少なくとも一部が両桁材４２，４３の長手方向の中央で、且つ両桁材４２，４３の並び方向の中央に位置している。本実施の形態では、支持柱４４は、横梁４５と略Ｔ字形をなして一体形成されており、支持柱４４の長手方向のどの部分においても、上述したような両桁材４２，４３の長手方向の中央で、且つ両桁材４２，４３の並び方向の中央に位置していることとなる。さらに、支持柱４４は、桁材４２，４３の長さよりも充分に短い長さ（桁材４２，４３の１０分の１程度の長さ）に形成されている。そして、この支持柱４４を介して、左側及び右側桁材４２，４３のそれぞれの長手方向における一方の端部４２ａ，４３ａから他方の端部４２ｂ，４３ｂにかけて可撓性長体４７，４８が張設される。
【００６９】
可撓性長体４７，４８は、図１３〜１６に示すように、左側可撓性長体４７と、右側可撓性長体４８とからなり、各可撓性長体４７，４８は、本実施の形態では、２本で構成されている。つまり、一対の桁材４２，４３では、可撓性長体４７，４８は、４本で構成されている。まず、左側可撓性長体４７は、左側桁材４２の一方の端部４２ａから支持柱４４にかけて一方の左側可撓性長体４７ａが張設され、他方の端部４２ｂから支持柱４４にかけて他方の左側可撓性長体４７ｂが張設されている。そして、右側可撓性長体４８は、右側桁材４３の一方の端部４３ａから支持柱４４にかけて一方の右側可撓性長体４８ａが張設され、他方の端部４３ｂから支持柱４４にかけて他方の右側可撓性長体４８ｂが張設されている。両可撓性長体４７，４８は、一対の桁材に４２，４３に略Ｘ字形に張設されている。なお、本実施の形態では、可撓性長体４７，４８には、両端にネジ加工が施された鋼線材などが使用されている。このような鋼線材は、短い鋼線材がターンバックルによって接続されて１本となっているものを使用してもよい。また、両可撓性長体４７，４８が、それぞれ略く字形に一体形成されていてもよい。さらに、両可撓性長体４７，４８が略Ｘ字形に一体形成されていてもよい。
【００７０】
ジョイント部材５０は、図１７，１に示すように、略円柱ブロック状に形成されている。このジョイント部材５０の中央には、軸線方向に貫通孔５１が穿設されている。また、図１６に示すように、ジョイント部材５０は、貫通孔５１にボルトなどが挿通されて両桁材４２，４３の内側面５３及び支持柱４４の両側面に接合される。このジョイント部材５０の側周面には、貫通孔５１（中心軸）に向かってこの貫通孔５１と直交するようにネジ孔５２が設けられている。ネジ孔５２には、前述した各可撓性長体４７，４８（４７ａ，４７ｂ，４８ａ，４８ｂ）の端部が接続される。さらに、図１７に示すように、ジョイント部材５０のうち、桁材４２，４３の両端部４２ａ，４２ｂ，４３ａ，４３ｂに接合されるジョイント部材５０ａには１つのネジ孔５２が設けられている。また、図１８に示すように、支持柱４４の先端における両側面に接合されるジョイント部材５０ｂには対向するように２つのネジ孔５２が設けられている。これらジョイント部材５０ｂの２つのネジ孔５２，５２は、接続される各可撓性長体４７ａ，４７ｂ，４８ａ，４８ｂの挿入角度ににあわせて所定の傾斜角を有して設けられている。さらに、図１７（ｂ），１８（ｂ）に示すように、ネジ孔５２は、ジョイント部材５０（５０ａ，５０ｂ）の軸線方向に沿って所定角度の傾斜角を有している。
【００７１】
この第２の実施の形態のささら桁４０によれば、左側桁材４２，支持柱４４，左側可撓性長体４７と、右側桁材４３，支持柱４４，右側可撓性長体４８とはそれぞれ略三角形状に接合される。例えば、左右いずれかの桁材４２，４３に下向きの荷重がかかると、支持柱４４を介して左側及び右側可撓性長体４７，４８に引張力が発生する。これにより、荷重がかかったときの両桁材４２，４３の撓みを抑制することが可能となる。つまり、両桁材４２，４３の曲げ剛性を向上させることが可能となる。したがって、上述した第１の実施の形態と同様に、ささら桁４０を、強度を低下させることなく軽構造に構成することが可能となる。
【００７２】
また、支持柱４４を介して左側及び右側可撓性長体４７，４８の一方の可撓性長体４７ａ，４８ａに引張力が発生すると、同時に他方の可撓性長体４７ｂ，４８ｂには圧縮力が発生する。これにより、荷重がかかったときの両桁材４２，４３の撓みを更に強力に抑制することが可能となる。つまり、両桁材４２，４３の曲げ剛性を更に向上させることが可能となる。したがって、上記同様に、ささら桁４０を、強度を低下させることなく軽構造に構成することが可能となる。
【００７３】
さらに、左側桁材４７と右側桁材４８との間に横梁４５が設けられるとともに、この横梁４５に支持柱４４が突設されていることによって、両桁材４２，４３の連結及び補強と、支持柱４４の突設とを１つの部材で統括することが可能となる。
【００７４】
なお、第２の実施の形態のささら桁４０を用いた階段１については、図１１〜１５から明らかなように、ささら桁４０以外の構成が、第１の実施の形態を用いた階段１と同様の構成となっているため説明を省略する。
【００７５】
この第２の実施の形態のささら桁４０を用いた階段１によれば、上述した第１の実施の形態と同様に、階段１が軽構造なささら桁４０を用いて構成されていても階段としての機能と強度を充分に備えることができる。つまり、階段の昇降時に揺れなどを起こすことなく、且つスリムで無駄のないデザインで構成することが可能となり、階段の意匠性を向上させることが可能となる。これにより、この階段１が設置される住宅などの室内空間を広々と見せたりすることができる。また、ささら桁４０が軽構造であることから、階段１の搬送や施工が容易となる。
【００７６】
なお、上述した第２の実施の形態では、支持柱４４は、左側及び右側桁材４２，４３の長手方向における中央に位置するとともに、並び方向の中央に突設されているが、それ以外の任意の位置に突設されていてもよく、例えば、支持柱４４が、両桁材４２，４３（長手方向又は並び方向）のいずれかの端部寄りに突設されている構成としてもよい。これにより、階段１（ささら桁４０）をまた違ったデザインで構成することができ、階段１の意匠性を向上させることが可能となる。ただし、両桁材４２，４３の曲げ剛性は長手方向の任意の位置ごとに大幅に異なることがあるため、両桁材４２，４３及び各可撓性長体４７，４８を太く構成するなどして、適宜調整が必要となる。
【００７７】
また、両桁材４２，４３の長手方向の一部分のみにそれぞれ可撓性長体４７，４８が張設されている構成としてもよい。これにより、上記同様に階段１を異なるデザインで構成することができ、階段１（ささら桁４０）の意匠性を向上させることが可能となる。ただし、この場合も両桁材４２，４３の長手方向において、可撓性長体４７，４８によって補強されている部分以外は桁材４２，４３を太く構成するなどして、適宜調整が必要となる。
【００７８】
さらに、左側及び右側桁材４２，４３の間に横梁４５が設けられ、この横梁４５に支持柱４４が突設された構成となっているが、図２１に示すように、支持柱６０，６０が、左側及び右側桁材４２，４３にそれぞれ突設されるとともに、両桁材４２，４３から下方に向かい、且つ両桁材４２，４３の並び方向の中央で結合され、略Ｖ字形をなしている構成としてもよい。これにより、支持柱４４は、両桁材４２，４３の連結と、支持柱４４を設けることを１つの部材で統括することができるとともに、階段１を異なるデザインで構成することが可能となる。
【００７９】
また、左側及び右側可撓性長体４７，４８は、左側及び右側桁材４２，４３から支持柱４４にかけてそれぞれ１本ずつ張設されているが、複数の左側及び右側可撓性長体４７，４８が、左側及び右側桁材４２，４３から支持柱４４にかけて張設されている構成としてもよく、例えば、図２２に示すように、複数の左側及び右側可撓性長体４７，４８が、左側及び右側桁材４２，４３から支持柱４４にかけてそれぞれ長手方向に並んで張設されている構成としてもよい。これにより、両桁材４２，４３の曲げ剛性を更に向上させることが可能となり、両桁材４２，４３を更に細くすることが可能となる。または、各可撓性長体４７，４８を更に細くすることが可能となる。つまり、階段１をよりスリムで無駄のないデザインで構成することが可能となる。
【００８０】
また、例えば、図２３に示すように、複数の左側可撓性長体４７が、左側桁材４２から支持柱４４にかけて一方の端部４７ａは左側桁材４２の長手方向に並んで接合されて他方の端部４７ｂは支持柱４４の一箇所に集中して張設され、同様に、複数の右側可撓性長体４８が、右側桁材４３から支持柱４４にかけて一方の端部４８ａは右側桁材４３の長手方向に並んで接合されて他方の端部４８ｂは支持柱４４の一箇所に集中して張設されている構成としてもよい。これにより、上記同様に、両桁材４２，４３の曲げ剛性を更に向上させることが可能となり、両桁材４２，４３を更に細くすることが可能となる。または、各可撓性長体４７，４８を更に細くすることが可能となる。つまり、階段１をよりスリムで無駄のないデザインで構成することが可能となる。
【図面の簡単な説明】
【００８１】
【図１】本発明によるささら桁の第１の実施の形態を用いた階段を示す斜視図である。
【図２】本発明によるささら桁の第１の実施の形態を用いた階段を示す正面図である。
【図３】本発明によるささら桁の第１の実施の形態を用いた階段を示す右側面図である。
【図４】本発明によるささら桁の第１の実施の形態を用いた階段を示す右側断面図である。
【図５】（ａ）本発明によるささら桁の第１の実施の形態を用いた階段を示す一部拡大斜視図である。  （ｂ）本発明によるささら桁の第１の実施の形態を用いた階段を示す一部拡大斜視図である。  （ｃ）本発明によるささら桁の第１の実施の形態を用いた階段を示す一部拡大斜視図である。
【図６】（ａ）本発明によるささら桁の第１の実施の形態を構成するジョイント部材（ネジ孔１つ）を示す平面図である。  （ｂ）図６（ａ）におけるＡ−Ａ断面図である。
【図７】（ａ）本発明によるささら桁の第１の実施の形態を構成するジョイント部材（ネジ孔２つ）を示す平面図である。  （ｂ）図７（ａ）におけるＢ−Ｂ断面図である。
【図８】本発明によるささら桁を用いた階段を構成する踏板を示す正面図である。
【図９】図８におけるＣ−Ｃ断面図である。
【図１０】本発明によるささら桁を用いた階段を構成する踏板を示す分解斜視図である。
【図１１】本発明によるささら桁の第２の実施の形態を用いた階段を示す斜視図である。
【図１２】本発明によるささら桁の第２の実施の形態を用いた階段を示す正面図である。
【図１３】本発明によるささら桁の第２の実施の形態を用いた階段を示す背面図である。
【図１４】本発明によるささら桁の第２の実施の形態を用いた階段を示す右側面図である。
【図１５】本発明によるささら桁の第２の実施の形態を用いた階段を示す右側断面図である。
【図１６】（ａ）本発明によるささら桁の第２の実施の形態を用いた階段を示す一部拡大斜視図である。  （ｂ）本発明によるささら桁の第２の実施の形態を用いた階段を示す一部拡大斜視図である。  （ｃ）本発明によるささら桁の第２の実施の形態を用いた階段を示す一部拡大斜視図である。
【図１７】（ａ）本発明によるささら桁の第２の実施の形態を構成するジョイント部材（ネジ孔１つ）を示す平面図である。  （ｂ）図１７（ａ）におけるＤ−Ｄ断面図である。
【図１８】（ａ）本発明によるささら桁の第２の実施の形態を構成するジョイント部材（ネジ孔２つ）を示す平面図である。  （ｂ）図１８（ａ）におけるＥ−Ｅ断面図である。
【図１９】本発明によるささら桁の他の実施の形態を用いた階段を示す右側断面図である。
【図２０】本発明によるささら桁の他の実施の形態を用いた階段を示す右側断面図である。
【図２１】本発明によるささら桁の他の実施の形態を用いた階段を示す一部拡大斜視図である。
【図２２】本発明によるささら桁の他の実施の形態を用いた階段を示す右側断面図である。
【図２３】本発明によるささら桁の他の実施の形態を用いた階段を示す右側断面図である。
【図２４】従来の階段を示す分解斜視図である。
【図２５】従来の階段を構成する段板部材を示す側断面図である。
【符号の説明】
【００８２】
２…ささら桁
３…桁材
３ａ…（桁材の）一方の端部
３ｂ…（桁材の）他方の端部
４…支持柱
５…可撓性長体
１０…踏板
４０…ささら桁
４２…左側桁材
４２ａ…（左側桁材の）一方の端部
４２ｂ…（左側桁材の）他方の端部
４３…右側桁材
４３ａ…（右側桁材の）一方の端部
４３ｂ…（右側桁材の）他方の端部
４４…支持柱
４５…横梁
４７…左側可撓性長体
４８…右側可撓性長体
【図１】
2005290749.tif 000003
【図２】
2005290749.tif 000004
【図３】
2005290749.tif 000005
【図４】
2005290749.tif 000006
【図５】
2005290749.tif 000007
【図６】
2005290749.tif 000008
【図７】
2005290749.tif 000009
【図８】
2005290749.tif 000010
【図９】
2005290749.tif 000011
【図１０】
2005290749.tif 000012
【図１１】
2005290749.tif 000013
【図１２】
2005290749.tif 000014
【図１３】
2005290749.tif 000015
【図１４】
2005290749.tif 000016
【図１５】
2005290749.tif 000017
【図１６】
2005290749.tif 000018
【図１７】
2005290749.tif 000019
【図１８】
2005290749.tif 000020
【図１９】
2005290749.tif 000021
【図２０】
2005290749.tif 000022
【図２１】
2005290749.tif 000023
【図２２】
2005290749.tif 000024
【図２３】
2005290749.tif 000025
【図２４】
2005290749.tif 000026
【図２５】
2005290749.tif 000027